(57)【要約】【課題】下ケースに設けられる弾性ツメに外力が加わった際の撓みを抑え当該弾性ツメにより嵌め込み固定されるプリント基板が下ケースから外れるのを防止するとともに、製造コストの削減およびプリント基板の有効利用を図る。【解決手段】下ケース５に少なくとも２つ対向して設けられる弾性ツメ５０に、電源端子３０が搭載された電源端子基板３、ターミナル端子４０が搭載されたターミナル基板４を嵌め込み固定させるにあたって、一枚基板で作成される電源端子基板およびターミナル基板を含むメイン基板２より当該電源端子基板および当該ターミナル基板を切り出した後に形成される穴をなす穿設された撓み防止穴２ａ、２ｂに弾性ツメを当接させることにより、この弾性ツメが外力により撓んで電源端子基板、ターミナル基板が下ケースから外れるのを防止できる。【選択図】　図２
2004129014.tif 000002
【特許請求の範囲】
【請求項１】
送受話を行うための操作部（１０）を備えた上ケース（１）と、前記送受話を実行するための電子部品（２０）が搭載されたメイン基板（２）と、前記電子部品に電源供給するための電源端子（３０）が搭載された電源端子基板（３）と、前記電子部品に接続され外部配線を引き出すためのターミナル端子（４０）が搭載されたターミナル基板（４）と、前記上ケースが被蓋され、前記メイン基板を固定するための下ケース（５）とからなり、
前記下ケースは、前記電源端子基板、前記ターミナル基板を嵌め込み固定するために対向して設けられる弾性ツメ（５０）を少なくとも２つ有し、
前記メイン基板は、前記弾性ツメが外力により撓んで前記電源端子基板、前記ターミナル基板が前記下ケースから外れるのを防止するために前記弾性ツメに当接して撓みを防止する撓み防止穴（２ａ、２ｂ）を有することを特徴とするインターホン構造。
【請求項２】
前記メイン基板は、前記電源端子基板および前記ターミナル基板を含む一枚基板で作成し、前記電源端子基板および前記ターミナル基板を前記一枚基板から切り出した後に形成される穴を前記撓み防止穴として使用することを特徴とする請求項１記載のインターホン構造。
【発明の詳細な説明】
【０００１】
【発明の属する技術分野】
本発明は、呼出機能および送受話機能を備えたインターホン構造に係り、特に、弾性力を有するツメ形状の取付部材でプリント基板を固定するインターホン構造に関する。
【０００２】
【従来の技術】
従来から、この種のインターホン構造として、ケースの立上がり部に設けた少なくとも１つの舌片を、プリント基板の取付部材に設けた嵌合孔に嵌め込むようにしてプリント基板をケースの底面と平行にすることにより、取付部材の平板状突出部に備えた第２の孔と、この下側で舌片に備えた第１の孔とが対向するので、上方からネジで締着できるプリント基板の取付構造（以下、第１の従来例をなすプリント基板の取付構造という。）が提案されている。
【０００３】
第１の従来例をなすプリント基板の取付構造によれば、プリント基板取付時のネジ締め作業が、総じて上からの一方向の作業となり作業性が向上していた（例えば、特許文献１参照）。
【０００４】
また、従来から、第１の従来例をなすプリント基板の取付構造と同様、ネジ止め作業でプリント基板をケースに固定させることができる図３の断面図に示すインターホン構造（以下、第２の従来例をなすインターホン構造という。）が提案されている。
【０００５】
第２の従来例をなすインターホン構造において、電源端子１２０が搭載された電源端子基板（プリント基板）１０２およびターミナル端子１３０が搭載されたターミナル基板（プリント基板）１０３のうち、電源端子基板１０２を下ケース１０４に固定させるためには、電源端子基板１０２に穿設された孔（図示せず）にネジ１０５を挿通して下ケース１０４の所定の位置に設けられたボス１０４ａに締着させる方法がとられており、一方、ターミナル基板１０３を下ケース１０４に固定させるためには、ターミナル基板１０３を上ケース１０１に設けられた押さえリブ１０１ａにて押さえ込む方法がとられていた。
【０００６】
【特許文献１】実開平５−２８０８３号公報（第７頁）
【発明が解決しようとする課題】
しかしながら、第１の従来例をなすプリント基板の取付構造および第２の従来例をなすインターホン構造の共通の作業方法であるネジ止めにより、プリント基板をケース（下ケース）に固定するにあたっては、ネジの使用に起因して製造コストが増大する難点があった。
【０００７】
また、第２の従来例をなすインターホン構造のように、上ケース１０１に押さえリブ１０１ａを設けターミナル基板１０３を押さえ込むにあたっては、押さえリブ１０１ａとターミナル基板１０３との当接部にターミナル端子１３０を搭載できず、当該基板の利用に制限が加わる難点があった。
【０００８】
本発明は、上述の難点を解消するためになされたもので、下ケースに設けられる弾性ツメに外力が加わった際の撓みを抑え当該弾性ツメにより嵌め込み固定されるプリント基板が下ケースから外れるのを防止するとともに、製造コストの削減およびプリント基板の有効利用が図れるインターホン構造を提供することを目的としている。
【０００９】
【課題を解決するための手段】
上述の目的を達成するため、本発明のインターホン構造は、送受話を行うための操作部を備えた上ケースと、送受話を実行するための電子部品が搭載されたメイン基板と、電子部品に電源供給するための電源端子が搭載された電源端子基板と、電子部品に接続され外部配線を引き出すためのターミナル端子が搭載されたターミナル基板と、上ケースが被蓋され、メイン基板を固定するための下ケースとからなる。下ケースは、電源端子基板、ターミナル基板を嵌め込み固定するために対向して設けられる弾性ツメを少なくとも２つ有する。メイン基板は、弾性ツメが外力により撓んで電源端子基板、ターミナル基板が下ケースから外れるのを防止するために弾性ツメに当接して撓みを防止する撓み防止穴を有する。
【００１０】
このようなインターホン構造によれば、下ケースに少なくとも２つ対向して設けられる弾性ツメに、電源端子が搭載された電源端子基板、ターミナル端子が搭載されたターミナル基板を嵌め込み固定させるにあたって、メイン基板に穿設された撓み防止穴に弾性ツメを当接させることにより、この弾性ツメが外力により撓んで電源端子基板、ターミナル基板が下ケースから外れるのを防止できる。
【００１１】
また、本発明のインターホン構造において、メイン基板は、電源端子基板およびターミナル基板を含む一枚基板で作成し、電源端子基板およびターミナル基板を一枚基板から切り出した後に形成される穴を撓み防止穴として使用するものである。
【００１２】
このようなインターホン構造によれば、メイン基板に穿設された撓み防止穴は、一枚基板で作成される電源端子基板およびターミナル基板を含むメイン基板より当該電源端子基板および当該ターミナル基板を切り出した後に形成される穴を使用できる。
【００１３】
【発明の実施の形態】
以下、本発明のインターホン構造を適用した形態の実施例について、図面を参照して説明する。
【００１４】
図１、図２は、それぞれ本発明の実施例によるインターホン構造を示す分解斜視図、断面図であり、インターホンの使用者が送受話を行うための操作部、例えば、呼び出しを確認して応答するために操作される応答ボタン等の操作部１０が備えられた上ケース１と、インターホンの使用者が送受話を実行するための電子部品、例えば、上ケース１に備えられた操作部１０にて応答操作を行ったインターホンの使用者からの送話音声が入力されるマイク（図示せず）や呼出発報のための呼出音、呼出元からの受話音声をそれぞれ出力するためのスピーカ（図示せず）等の電子部品２０が搭載されたメイン基板２と、メイン基板２に搭載された電子部品２０を駆動させる動作電源を供給（電源供給）するための電源端子３０が搭載された電源端子基板３と、メイン基板２に搭載された電子部品２０へ電気的に接続され外部配線に引き出すためのターミナル端子４０が搭載されたターミナル基板４と、上ケース１により被蓋され、メイン基板２を固定するための下ケース５とからなる。
【００１５】
また、下ケース５には、一枚基板で作成される電源端子基板３およびターミナル基板４を含むメイン基板２より切り出された電源端子基板３、ターミナル基板４を嵌め込み固定するために対向して設けられる少なくとも２つの弾性ツメ、ここでは、電源端子基板３を嵌め込み固定するために対向して設けられる弾性ツメ５０、５０とターミナル基板４を嵌め込み固定するために対向して設けられる弾性ツメ５０、５０との計４つの弾性ツメが設けられている。
【００１６】
さらに、メイン基板２には、下ケース５に設けられた弾性ツメ５０、５０、５０、５０が外力により撓み、電源端子基板３、ターミナル基板４が下ケース５から外れるのを防止するために、弾性ツメ５０、５０、５０、５０の外面側に当接して上述の撓みを防止するための撓み防止穴２ａ、２ｂが穿設されており、この撓み防止穴２ａ、２ｂは、一枚基板で作成される電源端子基板３およびターミナル基板４を含むメイン基板２より当該電源端子基板および当該ターミナル基板が切り出された後に形成される穴を使用している。
【００１７】
このような構造の本発明の実施例によるインターホン構造において、その組付方法について具体的に説明する。
【００１８】
図１の分解斜視図において、電源端子３０が搭載された電源端子基板３、ターミナル端子４０が搭載されたターミナル基板４を下ケース５に固定するためには、下ケース５に設けられた弾性ツメ５０、５０、５０、５０のうち、一対を構成する一方の弾性ツメ５０、５０の内面側に電源端子基板３を圧入して嵌め込むとともに、一対を構成する他方の弾性ツメ５０、５０の内面側にターミナル基板４を圧入して嵌め込む。
【００１９】
ここで、電子部品２０が搭載されたメイン基板２を下ケース５の所定の位置に固定させると、図２の断面図に示すように、メイン基板２に穿設されている撓み防止穴２ａ、２ｂのうち、一方の撓み防止穴２ａには、電源端子基板３を嵌め込み固定させた一対を構成する一方の弾性ツメ５０、５０の外面側がそれぞれ当接され、他方の撓み防止穴２ｂには、ターミナル基板４を嵌め込み固定させた一対を構成する他方の弾性ツメ５０、５０の外面側がそれぞれ当接されることにより、例えば、下ケース５の底面より引き出した外部配線を商用電源（図示せず）に接続する際、電源端子基板３に搭載された電源端子３０およびターミナル基板４に搭載されたターミナル端子４０に加わる外力に起因して発生する弾性ツメ５０、５０、５０、５０の撓みが緩衝され、電源端子基板３、ターミナル基板４が下ケース５から外れるのを防止できる。
【００２０】
この後、操作部１０が搭載された上ケース１を下ケース５に被蓋することにより、インターホンが完成される。
【００２１】
なお、本発明の実施例によるインターホン構造では、電源端子基板３、ターミナル基板４を嵌め込み固定するために対向して下ケース５に設けられる弾性ツメを、電源端子基板３を嵌め込み固定するために対向して設けられる弾性ツメ５０、５０とターミナル基板４を嵌め込み固定するために対向して設けられる弾性ツメ５０、５０とのように、計４つの弾性ツメが下ケース５に設けられているインターホン構造について説明したが、この弾性ツメの数は４つに限定されず、少なくとも２つの弾性ツメ５０、５０を下ケース５に設けることにより、電源端子基板３およびターミナル基板４のうち、何れか一方の基板のみを下ケース５に固定させるインターホン構造にも好適である。
【００２２】
【発明の効果】
以上の説明から明らかなように、本発明のインターホン構造によれば、電源端子が搭載された電源端子基板、ターミナル端子が搭載されたターミナル基板を嵌め込み固定させるため下ケースに設けられる弾性ツメに外力が加わった際の撓みは、この弾性ツメが当接されるメイン基板に穿設された撓み防止穴にて抑えられることにより、電源端子基板、ターミナル基板が下ケースから外れるのを防止でき、従来例のようなネジ締め作業に伴うネジの使用や押さえリブが不要となり製造コストが削減される。
【００２３】
また、メイン基板に穿設された撓み防止穴は、一枚基板で作成される電源端子基板およびターミナル基板を含むメイン基板より当該電源端子基板および当該ターミナル基板を切り出した後に形成される穴を使用することにより、メイン基板の有効利用が図れる。
【図面の簡単な説明】
【図１】本発明の実施例によるインターホン構造を示す分解斜視図である。
【図２】本発明の実施例によるインターホン構造を示す断面図である。
【図３】第２の従来例をなすインターホン構造を示す断面図である。
【符号の説明】
１・・・・・上ケース
１０・・・・・操作部
２・・・・メイン基板
２ａ、２ｂ・・・・・撓み防止穴
２０・・・・・電子部品
３・・・・・電源端子基板
３０・・・・・電源端子
４・・・・・ターミナル基板
４０・・・・・ターミナル端子
５・・・・・下ケース
５０・・・・・弾性ツメ
【図１】
2004129014.tif 000003
【図２】
2004129014.tif 000004
【図３】
2004129014.tif 000005